(57)【要約】【課題】  挿入した針金や棒等を摘みに引っ掛ける等するサムターン摘みの不正解錠が阻止可能になる防犯サムターンを得る。【解決手段】  防犯サムターン１００において、固定筒２１に内設されるコア軸３５と、固定筒２１内に内設されるサムターン筒４３と、サムターン筒４３に摺動自在に内設されるストッパー４９，５１と、サムターン筒４３に連動回転しストッパー退避凹部３８ａを有したサムターンボス３８と、サムターンボス３８に取り付けられる摘み４１と、ストッパー４９，５１の係合を解除する一対のボタンと、ストッパー４９，５１を挟む一対の解除交差部材６７，６９と、コア軸３５の回転によって開脚され、この開脚動作によって一対のストッパー４９，５１を係合解除方向に摺動させる二対の挟持板とを設けた。【選択図】      図１
2005188126.tif 000002
【特許請求の範囲】
【請求項１】
扉に固定される基板と、
該基板に固定される固定筒と、
該固定筒に回転自在に内設され前記基板に設けられる入出力部材に連結されるコア軸と、
前記固定筒に回転自在に内設されるサムターン筒と、
該サムターン筒に軸線直交方向で摺動自在に内設され該サムターン筒の外周から突出して前記固定筒に係合することで該サムターン筒の回転を阻止する一対のストッパーと、
前記サムターン筒に所定の遊び角を許容して連動回転し該ストッパーを進入させて前記係合を解除する方向の該ストッパーの移動を可能にするストッパー退避凹部を外周に有したサムターンボスと、
前記固定筒の外周に配設され、前記サムターンボスに取り付けられて屋内側へ突出する筒状の摘みと、
脚部を有し、前記摘みの外周面から一部が突出され、同時に押し込まれることで摘みの半径方向内側へスライドされ該脚部を介して前記ストッパーの係合を解除する一対のボタンと、
該一対のボタンを離反方向に付勢することで前記脚部を介して前記ストッパーを係合方向に付勢するボタン付勢手段と、
前記サムターン筒に軸線直交方向で摺動自在に内設され、付勢手段によって離間された一端部同士の間隙で前記一対のストッパーを挟むとともに、他端部同士が接近方向に配置される一対の解除交差部材と、
前記サムターン筒に揺動自在に支持され前記コア軸に突設された突起板を軸線直交方向の両側から挟持し前記コア軸の回転入力で前記突起板によって開脚され、該開脚動作によって前記一対の解除交差部材の他端部同士を離反方向に移動して前記一端部同士で前記一対のストッパーを係合解除方向に摺動させる二対の挟持板と、
を具備したことを特徴とする防犯サムターン。
【請求項２】
前記摘みには、回転位置確認手段が設けられていることを特徴とする請求項１記載の防犯サムターン。
【発明の詳細な説明】
【技術分野】
【０００１】
本発明は、扉の屋内面に突出させた摘みの回転を規制することで、不正な解錠操作を阻止する防犯サムターンに関する。
【背景技術】
【０００２】
マンションや住宅等に設けられる玄関扉には錠箱が設けられ、錠箱は扉木口から進退させたデッドボルトを扉枠に係合・係合解除させて、扉を施解錠する施解錠機構を内蔵している。錠箱は、屋外側からのシリンダー錠による施解錠操作力、或いは屋内側からのサムターンによる施解錠操作力の入力によって施解錠動作される。すなわち、屋外側からはシリンダー錠の合鍵による操作が必要になる一方、屋内側からは合鍵を用いずに摘みのみの回転操作で施解錠が簡便に行えるようになっている。
【０００３】
この種のサムターンは、下記特許文献１にも開示されるように、扉の屋内面側に垂直に突出した板状の摘みを有する。この摘みは、サムターン軸を介して錠箱の施解錠機構に連結される。従って、屋内側からは、この摘みを指で摘んで正逆回転操作することで、回転操作力がサムターン軸を介して直接錠箱へ伝達され、施解錠機構によりデッドボルトが進退されて、簡便な施解錠操作が可能となる。
【０００４】
ところが、近年、ポスト口や、機械工具によって扉等に開けた小さな穴から棒や針金等を挿入し、回転操作の容易なサムターンに係止して回転させ、施錠装置を解錠する不正解錠が増えている。このようなサムターンに針金等を係止して回転させることを防止するものに例えば下記特許文献２に開示されるサムターン用防犯カバーがある。
【０００５】
この防犯カバーは、サムターンが嵌入する嵌入孔が形成されるとともに、回転時に円状軌跡を描くサムターンの外面を覆う部分が、円状軌跡に沿う円形状に形成されている。そして、嵌入孔内に螺入してサムターンの側面に当接し、両側から挟持するセットスクリューが設けられる。この防犯カバーは、嵌入孔にサムターンを挿入し、サムターンに防犯カバーを覆うように被せ、その後セットスクリューを螺入させて締め付けることで、サムターンに固定する。従って、サムターンに被せた防犯カバーによって、針金等を係止させて回転させることが難しくなる。
【０００６】
また、上記した防犯カバーの別態様として、防犯カバーを、取付部と本体部とから構成したものが開示されている。取付部は、上記の防犯カバーの外形を手での操作が容易となるように形成し、本体部が係止する係止突部を備えている。取付部は、サムターンに被せた状態で、サムターンを容易に回転させることができる。また、本体部は、係止突部に係止可能な係止部を有し、係止作業という簡単な作業で、防犯カバーの着脱が行える。さらに係止部で本体部が空転することから、針金等を係止させて回転させることが不可能となっていた。
【特許文献１】特公平２−１５７１５号公報（第１図ｂ，第１図ｃ）
【特許文献２】実公平４−４０３６２号公報
【発明の開示】
【発明が解決しようとする課題】
【０００７】
しかしながら、上記した従来の防犯カバーは、円形状の防犯カバーをサムターンに被せた場合、本来小判形状であることからその回転位置によって視認できたサムターンの施錠状態又は非施錠状態を視認不能にしてしまい、これによって誤操作が生じ易くなって、施解錠の操作性を低下させる問題があった。
また、サムターンを回転操作可能にする取付部と、この取付部に対し空転し、且つ着脱可能となる本体部とから構成されているため、脱着した本体部の保管管理が煩雑となり、操作性が低下するとともに、本体部を紛失する虞もあった。
【０００８】
本発明は上記状況に鑑みてなされたもので、挿入した針金や棒等を摘みに引っ掛ける等するサムターン摘みの不正解錠が阻止可能になるとともに、良好な操作性が確保でき、しかも、一般的なサムターンと同様に、摘みの垂直・水平姿勢が視認可能となる防犯サムターンを得ることを目的とする。
【課題を解決するための手段】
【０００９】
次に、上記の課題を解決するための手段を、実施の形態に対応する図面を参照して説明する。
本発明の請求項１記載の防犯サムターン１００は、扉１に固定される基板３と、
該基板３に固定される固定筒２１と、
該固定筒２１に回転自在に内設され前記基板３に設けられる入出力部材１１に連結されるコア軸３５と、
前記固定筒２１に回転自在に内設されるサムターン筒４３と、
該サムターン筒４３に軸線直交方向で摺動自在に内設され該サムターン筒４３の外周から突出して前記固定筒２１に係合することで該サムターン筒４３の回転を阻止する一対のストッパー４９，５１と、
前記サムターン筒４３に所定の遊び角αを許容して連動回転し該ストッパー４９，５１を進入させて前記係合を解除する方向の該ストッパー４９，５１の移動を可能にするストッパー退避凹部３８ａを外周に有したサムターンボス３８と、
前記固定筒２１の外周に配設され、前記サムターンボス３８に取り付けられて屋内側へ突出する筒状の摘み４１と、
脚部６３ａ，６５ａを有し、前記摘み４１の外周面から突出され、同時に押し込まれることで摘み４１の半径方向内側へスライドされ該脚部６３ａ，６５ａを介して前記ストッパー４９，５１の係合を解除する一対のボタン６３，６５と、
該一対のボタン６３，６５を離反方向に付勢することで前記脚部６３ａ，６５ａを介して前記ストッパー４９，５１を係合方向に付勢するボタン付勢手段６６と、
前記サムターン筒４３に軸線直交方向で摺動自在に内設され、付勢手段７１によって離間された一端部６７ｂ，６９ｂ同士の間隙で前記一対のストッパー４９，５１を挟むとともに、他端部６７ｃ，６９ｃ同士が接近方向に配置される一対の解除交差部材６７，６９と、
前記サムターン筒４３に揺動自在に支持され前記コア軸３５に突設された突起板３９を軸線直交方向の両側から挟持し前記コア軸３５の回転入力で前記突起板３９によって開脚され、該開脚動作によって前記一対の解除交差部材６７，６９の他端部６７ｃ，６９ｃ同士を離反方向に移動して前記一端部６７ｂ，６９ｂ同士で前記一対のストッパー４９，５１を係合解除方向に摺動させる二対の挟持板７３ａ，７３ｂ，７５ａ，７５ｂと、
を具備したことを特徴とする。
【００１０】
請求項２記載の防犯サムターン１００は、前記摘みには、回転位置確認手段、例えば印刷や成形などのマークなどが設けられていることを特徴とする。
【００１１】
なお、上記基板３としては、扉面に突設されるように固定され機構部を内蔵するサムターンケースなどとしても良く、或いは、扉に内蔵される錠箱機構部の一部、例えば錠箱側板として構成されて扉に固定される構造としても良い。
【００１２】
この防犯サムターン１００では、ボタン６３，６５を押下しながらの回転力が摘み４１に加えられなければ、摘み４１による操作が行えず、これにより、挿入した針金や棒等を摘みに引っ掛ける等して、摘み４１を回転することによる不正解錠が阻止される。また、一般的なサムターンと同様に、摘み４１を摘んで回動操作が行えるとともに、屋外からのシリンダー錠による合鍵操作時にはボタン６３，６５による規制が自動解除されて、摘み４１が回転される。さらに、従来の防犯カバーが被せられる構成と異なり、摘み４１に回転位置確認手段を設けることで、垂直・水平姿勢が視認可能となる。また、突起板３９を上下で挟む二対の挟持板７３ａ，７３ｂ，７５ａ，７５ｂが、コア軸３５の突起板３９を軸線直交方向の左右両側から合計二対で、すなわち、４枚の挟持板７３ａ，７３ｂ，７５ａ，７５ｂで挟持するので、コア軸３５の右回転、左回転の何れの回転でも等しいモーメントで挟持板７３ａ，７３ｂ，７５ａ，７５ｂが開脚される。これに加え、摘み４１がボタン６３，６５の押し込みより先に回されると、ストッパー退避凹部３８ａがストッパー４９，５１から位置ずれし、ストッパー４９，５１がストッパー退避凹部３８ａに退避できなくなり、ストッパー４９，５１の解除が不能となる。
【発明の効果】
【００１３】
本発明に係る防犯サムターンによれば、ボタン押下による規制解除によって摘みが回転可能となるので、ボタンを押下しながら摘みに回転力を加えなければ摘みによる操作は行えず、これにより、挿入した針金や棒等を摘みに引っ掛ける等して、サムターン摘みを回転することによる不正解錠を阻止でき、防犯性を向上させることができる。
また、摘みに回転位置確認手段を設けることで、従来の防犯カバーを被せるのと異なり、垂直・水平姿勢が視認でき、一般的なサムターンと同様に、室内側からの施解錠状態を容易に確認することができる。
さらに、二対の挟持板で、コア軸の突起板を軸線直交方向の両側から挟持するので、コア軸の右回転、左回転の何れの回転でも等しいモーメントで挟持板を開脚でき、シリンダー錠の左右勝手に関わらずスムースな合鍵操作を可能にすることができる。
これに加え、摘みがボタンの押し込みより先に回されると、ストッパー退避凹部がストッパーから位置ずれし、ストッパーの解除が不能となるので、挿入した針金や棒等を摘みに引っ掛ける等した、サムターン摘みの回転が一層行い難くなり、防犯性をさらに向上させることができる。
【発明を実施するための最良の形態】
【００１４】
以下、本発明に係る防犯サムターンの好適な実施の形態を図面を参照して詳細に説明する。
図１は本発明に係る防犯サムターンの縦断面図、図２は本発明に係る防犯サムターンの水平断面図、図３は図１のＡ−Ａ矢視図、図４は図１のＢ−Ｂ矢視図である。
【００１５】
本実施の形態による防犯サムターン１００が取付けられる扉１には、図１，図２に示すように、基板としてのサムターンケース３が台座５を介して設けられる。すなわち、扉１には台座５がビス７によって螺着され、サムターンケース３はこの台座５にビス９によって螺着される。本実施の形態ではサムターンケース３は略箱状に形成され扉１の屋内側の面に露出して固定される。防犯サムターン１００は、所謂ワンドア・ツーロックを実現させるための後付け用の錠として好適に用いることができる。すなわち、既にサムターン付きの錠箱が設けられている扉１の第２のサムターンとして、既存の錠とは別体で後付けすることができる。この場合、図示しないが、扉枠側の屋内面には後述するデッドバーの係止具が必要となる。
【００１６】
また、この防犯サムターン１００は、上記のように単体で扉１に設けても良く、或いは扉１に内蔵された錠箱と連動可能に設けることもできる。通常、錠箱は、ラッチボルト，デッドボルト，及びこれらを扉１の木口から進退させる錠箱機構部を内設している。錠箱のデッドボルトは、扉の屋外側の面に設けたシリンダー錠を合鍵（キー）によって回動することで扉１の木口から進退される。防犯サムターン１００は、このような錠箱に連動させて用いた場合、後に詳述するようにシリンダー錠の解錠操作によっても、摘み操作の規制が解除されることになる。
【００１７】
本実施の形態では、防犯サムターン１００が、錠箱機構部が、サムターンケース３に内設される構成とし、この錠箱機構部と連動して取り付けられる場合を例に説明する。また、図示しないが、錠箱機構部には、扉１の屋外面に鍵穴が露出するシリンダー錠が連結される。
サムターンケース３には防犯サムターン１００の後述するコア軸３５に固定される入出力部材１１が設けられ、入出力部材１１は図４に示すピン１３を介してデッドバー１５に係合している。デッドバー１５は、防犯サムターン１００の摘み４１が回動されると、コア軸３５，入出力部材１１，ピン１３を介して図３，図４に示すように、サムターンケース３の左側又は右側から突出される。したがって、突出されたデッドバー１５の先端が、扉枠側に固設された係止具に係止することで、扉１の開放を規制する施錠が可能となる。
【００１８】
なお、本実施の形態では、防犯サムターン１００が扉の屋外側のシリンダー錠と連動するため、ピン１３の先端には接続プレート１７の一端が固定され、接続プレート１７の他端には図示しないシリンダー錠に連動連結されるジョイント軸１９が固定されている。したがって、コア軸３５からの回転力は、デッドバー１５をスライドさせるとともに、ピン１３、接続プレート１７、ジョイント軸１９を介してシリンダー錠側へ伝達されるとともに、シリンダー錠側による操作力はジョイント軸１９，接続プレート１７，ピン１３，入出力部材１１を介してコア軸３５へ伝達されるようになっている。なお、図１中、図４中の１６は、デッドバー１５をスライド方向両端へ付勢するつるまきバネを示す。
【００１９】
図５は図１に示した防犯サムターンの分解図、図６は図５に示したストッパー近傍部材の分解斜視図、図７は図５に示したサムターンボスの拡大斜視図、図８は図５に示した摘み近傍部材の分解斜視図である。
サムターンケース３には固定筒２１が固定される。固定筒２１の内部にはコア軸３５が回転自在に内設され、コア軸３５は上述のように後部がサムターンケース３内の入出力部材１１に連結されている。コア軸３５は、先端面に図６に示す突起板３９を突設している。従って、サムターンケース３の入出力部材１１が回転されれば、突起板３９も回転される。
【００２０】
固定筒２１の後端側内部には、図５に示すサムターン筒４３が回転自在に内設される。また、固定筒２１の先端側内部には、摘み４１の取り付けられるサムターンボス３８が回転自在に内設される。サムターンボス３８は、サムターン筒４３に所定の遊び角を許容して連動回転する。図７に示すように、このサムターンボス３８のコア軸３５側の面には半径方向外側に開放される一対のストッパー退避凹部３８ａが形成され、ストッパー退避凹部３８ａは後述するストッパーを進入させて、ストッパーの係合を解除する方向の移動を可能にする。また、サムターンボス３８のコア軸３５側の面には一対の干渉部８３が突設され、この干渉部８３には後述のクリックボールが当接する凹溝９１が形成されている。さらに、サムターンボス３８には、後述するストッパーの脚部が貫通する透孔２９が穿設されている。
【００２１】
摘み４１は、例えば図８に示すような円筒状に形成されている。これにより、針金を摘み４１に引っ掛けようとしたり、棒を当てて押し回ししようとしても、角部がないため針金や棒が滑り易く、これら不正な回転操作力が印加され難くなっている。また、角部がなくなることで、手指によるフィット感も良好となる。そして、摘み４１の屋内側端面に近接した外周には直径方向の両側で一対の凹み部３１が形成され、この凹み部３１には後述するボタンの押下部が配置される。
【００２２】
図６に示すように、サムターン筒４３は筒状部４５を有し、筒状部４５には直径方向の両端に開口する切欠４７が形成されている。筒状部４５の後端面からは後述の挟持板を支持する一対の軸４５ａ，４５ａがコア軸３５へ向かって突設されている。この筒状部４５の内部には、筒状部４５の軸線直交方向で摺動自在となる一対のストッパー４９，５１が内設されている。ストッパー４９には脚部係合部４９ａと、解除面４９ｂが形成されている。また、ストッパー５１には図６に示す脚部係合部５１ａと、解除面５１ｂが形成されている。さらに、ストッパー４９，５１には、サムターン筒４３の半径方向外側に位置する係合部４９ｃ，５１ｃが設けられ、この係合部４９ｃ，５１ｃは上記のストッパー退避凹部３８ａに進入可能となっている。
【００２３】
一対のストッパー４９，５１は、後述のボタンに設けられた脚部が脚部係合部４９ａ，５１ａに係合されることで、筒状部４５の半径方向外側へ摺動され、切欠４７から突出し、固定筒２１に形成された係合溝５５，５６に係合するようになっている。ストッパー４９，５１が係合溝５５，５６に係合することで、サムターン筒４３の回動は不能となる。また、ストッパー４９，５１は、半径方向内側へ摺動されることで、係合部４９ｃ，５１ｃが係合溝５５，５６から抜け、図７に示したサムターンボス３８のストッパー退避凹部３８ａに進入することで、係合が解除されるようになっている。
【００２４】
図８に示すように、摘み４１は、固定筒２１の屋内側端面から回転自在に外挿される。固定筒２１はサムターンケース３に固定されるので、摘み４１はこの固定筒２１に対して回動自在となる。摘み４１の屋内側端面には直径方向のボタン収容溝２２が形成される。ボタン収容溝２２の長手方向中央部にはボタン脚部貫通穴２３が穿設される。ボタン脚部貫通穴２３は固定筒２１の端面開口穴２４を介して固定筒２１の内部に連通する。摘み４１の屋内側端面には、ボタン収容溝２２に後述のボタンを収容した状態で、ストッパー保持板２５が固定される。ストッパー保持板２５は、位置決め突起２６を摘み４１の位置決め孔２８に嵌入して位置決めされる。ストッパー保持板２５は、この位置決めされた状態で、爪穴３０が係止孔３２に一致する。ストッパー保持板２５にはネジ貫通孔３３が穿設され、ストッパー保持板２５はネジ貫通孔３３に挿通されたビス３４がサムターンボス３８の固定ネジ部３６に螺合することでサムターンボス３８に固定される。つまり、摘み４１は、固定筒２１に回転自在に外挿されてサムターンボス３８に固定される。
【００２５】
ストッパー保持板２５の屋内側面にはビス３４の頭部が表出し、この頭部はストッパー保持板２５に係止されるビスカバー３７によって覆われる。ビスカバー３７は、ストッパー保持板２５の爪穴３０に挿通した係止爪３７ａを、摘み４１の係止孔３２に係止することで摘み４１に固定される。これにより、ビスカバー３７は、摘み４１の屋内側端面に表出するビス頭部を覆う。このビスカバー３７の屋内側の面には、摘み４１の回転位置を視認できるようにした図示しない回転位置確認手段としての回転位置確認用マークが設けられている。回転位置確認用マークは、印刷の他、微少な凸部或いは凹部で形成されてもよい。この回転位置確認用マークは、板状サムターンの先端面を表すように、例えば−字状、矩形状に形成される。
【００２６】
摘み４１のボタン収容溝２２には溝方向に摺動自在となった一対のボタン６３，６５が収容される。ボタン６３，６５は、摘み４１の凹み部３１内で押下部４４が突出されている。ボタン６３，６５は、コア軸３５の方向へ向かって突出する脚部６３ａ，６５ａを有しており、略Ｔ字状に形成されている。この脚部６３ａ，６５ａは、上記したストッパー４９，５１の脚部係合部４９ａ，５１ａへと係合される。
【００２７】
また、ボタン６３，６５同士の間にはボタン付勢手段としてのボタン付勢バネ６６，６６が挟入され、ボタン付勢バネ６６は、ボタン６３，６５を離反方向へ付勢している。ボタン６３，６５は、ボタン付勢バネ６６によって離反方向へ配置されることで、脚部６３ａ，６５ａが水平に並ぶようになっている。そして、この脚部６３ａ，６５ａを脚部係合部４９ａ，５１ａに係合させた一対のストッパー４９，５１は、脚部６３ａ，６５ａがこのように水平配置されることで図１に示すように、筒状部４５から突出して係合溝５５に係合する。
【００２８】
一方、ボタン６３，６５は、ボタン付勢バネ６６の付勢力に抗して接近方向へ押し込まれることで、脚部６３ａ，６５ａが互い違いに作動して開く。これにより、後に詳述するように、一対のストッパー４９，５１を、筒状部４５の半径方向内側へ摺動させて、係合溝５５との係合を解除させるよう作動する。
【００２９】
固定筒２１の内部には、サムターン筒４３の軸線直交方向で摺動自在な図６に示す一対の解除交差部材６７，６９が内設されている。解除交差部材６７は、縦軸６７ａの上端で摘み４１側へ向かって突出する一端部としてのストッパー挟持片６７ｂと、縦軸６７ａの下端で錠箱側へ向かって突出する他端部としての離間片６７ｃとを有している。また、解除交差部材６９は、縦軸６９ａの下端で摘み４１側へ向かって突出する一端部としてのストッパー挟持片６９ｂと、縦軸６７ａの上端で錠箱側へ向かって突出する他端部としての離間片６９ｃとを有している。
【００３０】
解除交差部材６７，６９は、ストッパー挟持片６７ｂ，６９ｂの間に挟入された付勢手段としての圧縮バネ７１によって、離間されたストッパー挟持片６７ｂ，６９ｂ同士の間隙で、一対のストッパー４９，５１を挟むとともに、離間片６７ｃ，６９ｃ同士が接近方向に配置される。この離間片６７ｃ，６９ｃ同士の間には、後述の挟持板が配置される。
【００３１】
サムターン筒４３の軸４５ａ，４５ａには、二対の挟持板７３ａ，７３ｂ，７５ａ，７５ｂが揺動自在に支持されている。挟持板７３ａ，７３ｂ，７５ａ，７５ｂは、上記したコア軸３５の突起板３９を軸線直交方向の両側から挟持する。例えば挟持板７３ａ，７３ｂが右側から、挟持板７５ａ，７５ｂが左側からの如くである。突起板３９を挟持した挟持板７３ａ，７３ｂ，７５ａ，７５ｂは、シリンダー錠が合鍵によって回転され、これに伴ってコア軸３５が回転されることで、この突起板３９によって開脚される。挟持板７３ａ，７３ｂ，７５ａ，７５ｂは、この開脚動作によって、一対の解除交差部材６７，６９の他端部同士である離間片６７ｃ，６９ｃ同士を離反方向に移動して、一端部同士であるストッパー挟持片６７ｂ，６９ｂ同士で、一対のストッパー４９，５１を係合解除方向に摺動させる。
【００３２】
次に、上記の構成を有する防犯サムターン１００の作用を説明する。
図９はボタン押下状態の摘みの正面図、図１０は図９に示した摘みの縦断面図、図１１は図１のＣ−Ｃ断面における施錠状態を（ａ）、シリンダー錠回転状態を（ｂ）に表した動作説明図、図１２は図１のＤ−Ｄ断面における施錠状態を（ａ）、シリンダー錠回転状態を（ｂ）に表した動作説明図、図１３は図１のＤ−Ｄ断面における施錠状態を（ａ）、ボタン押し込み状態を（ｂ）に表した動作説明図、図１４は図１のＥ−Ｅ断面における施錠状態を（ａ）、ボタンを押し込まずに摘みを回転させた状態を（ｂ）に表した動作説明図である。
【００３３】
防犯サムターン１００は、施錠状態において、摘み４１の回転位置確認用マークが水平方向に位置し、サムターン筒４３に内設されたストッパー４９，５１がボタン付勢バネ６６の付勢力により切欠４７から突出して図１２（ａ），図１３（ａ）に示すように係合溝５５に係合している。
防犯サムターン１００の施錠状態を解除するには、図９に示すように、摘み４１の凹み部３１で突出しているボタン６３，６５の押下部４４を押下する。
ボタン６３，６５が押し込められると、図１０に示すように、脚部６３ａ，６５ａが水平に並んだ状態から開脚される。これにより、図１３（ｂ）に示すように、一対のストッパー４９，５１は、筒状部４５の半径方向内側へと摺動され、係合溝５５から抜脱される。
【００３４】
その結果、ストッパー４９，５１と係合溝５５との係合が解除され、サムターン筒４３は回転が可能となって、摘み４１が垂直方向へと回転される。この際、摘み４１の垂直位置では、図５に示すように固定筒２１の内周に係合溝５６が形成されるため、ストッパー４９，５１が今度は係合溝５６に係合する。これにより、ボタン６３，６５は、押下部４４が再び凹み部３１で突出状態となる。
【００３５】
防犯サムターン１００では、このように係合溝５５，５６を９０度の角度で配設しているので、摘み４１の垂直・水平状態のいずれにおいても、ストッパー４９，５１によって摘み４１を回転規制できる。つまり、施錠状態、解錠状態の双方で摘み４１が回転規制されることとなる。そして、このことから、この防犯サムターン１００の左右勝手をなくして、防犯サムターン１００の後付け性を高めている。
【００３６】
一方、解錠状態から施錠状態にするには、ボタン６３，６５を押下しながら、摘み４１を水平状態となるまで回転操作する。すなわち、垂直状態から水平状態へと摘み４１が回転されれば、その回転力がサムターン筒４３、解除交差部材６７，６９、挟持板７３ａ，７３ｂ，７５ａ，７５ｂを介してコア軸３５へ伝達されるとともに、ストッパー４９，５１が係合溝５５に一致し、ボタン付勢バネ６６の付勢力により係合溝５５に進入し、再び図１２（ａ）、図１３（ａ）に示した状態となり、ボタン６３，６５が突出して施錠が完了する。
【００３７】
また、施錠状態において、屋外側からシリンダー錠が合鍵によって操作されると、ジョイント軸１９が回転し、その回転に連動してコア軸３５が回転される。コア軸３５が回転されると、突起板３９が傾き、これにより図１１（ａ）から図１１（ｂ）に示すように、挟持板７３ａ，７３ｂ，７５ａ，７５ｂが開脚する。挟持板７３ａ，７３ｂ，７５ａ，７５ｂが開脚されると、解除交差部材６７，６９の離間片６７ｃ，６９ｃが開かれ、その結果、解除交差部材６７，６９のストッパー挟持片６７ｂ，６９ｂが図１２（ｂ）に示すように、一対のストッパー４９，５１を挟持する方向に挟み込み、係合溝５５から抜脱される方向へストッパー４９，５１を移動させる。
【００３８】
これにより、施錠状態においても、シリンダー錠の操作によって、ストッパー４９，５１の規制が解除され、摘み４１が回転されることになる。
【００３９】
さらに、例えば挿入された針金や棒等によって、摘み４１がボタン６３，６５の押し込みより先に回されることが起きた場合、ストッパー退避凹部３８ａが、図１４（ａ）に示した状態から図１４（ｂ）に示した状態へと、ストッパー４９，５１から位置ずれし、ストッパー４９，５１がストッパー退避凹部３８ａに退避できなくなり、ストッパー４９，５１の解除が不能となる。この場合、ボタン６３，６５は、摺動不能となったストッパー４９，５１によって押し込み不能となる。
【００４０】
ここで、通常操作時には、ボタン６３，６５の押し込みが容易となるように、ストッパー４９，５１がストッパー退避凹部３８ａへ進入可能に、摘み４１の位置が水平保持されることが好ましい。このような水平保持機構は、サムターン筒４３とサムターンボス３８とにクリック機構を設けることで実現できる。すなわち、図１４に示すように、サムターン筒４３とサムターンボス３８とは、所定の遊び角αを有して相対回転可能とする。この遊び角αは、サムターン筒４３とサムターンボス３８との干渉部８１，８３によって形成される間隙８５によって設定することができる。そして、サムターン筒４３側の干渉部８１に付勢バネ８７によって半径方向外側へ付勢されるクリックボール８９を設け、サムターンボス３８側の干渉部８３に、このクリックボール８９の当接する凹溝９１を形成する。これにより、摘み４１が正確に水平保持され、ストッパー退避凹部３８ａへストッパー４９，５１が進入可能となって、通常操作時でのボタン６３，６５の押し込みを容易にすることができる。
【００４１】
なお、解錠状態において、屋外側からシリンダー錠を介して施錠状態とする場合は、ストッパー４９，５１が係合状態となっているが、上記の解錠状態の場合と同様に係合解除され通常の施錠操作となる。また、挟持板７３ａ，７３ｂ，７５ａ，７５ｂは、傾斜した突起板３９によって開脚された後には、サムターン筒４３と共に回転されることになる。
【００４２】
この防犯サムターン１００によれば、ボタン６３，６５を押下しながらの回転力が摘み４１に加えられなければ、特に、一対の各ボタン６３，６５をそれぞれ同時に押下した状態で摘み、回転を行わなければ、摘み４１による解錠操作が行えず、これにより、挿入した針金や棒等を摘み４１に引っ掛ける等して、摘み４１を回転することによる不正解錠が阻止される。また、一般的なサムターンと同様に、摘み４１を摘んで回動操作が行えるとともに、屋外からのシリンダー錠による合鍵操作時にはストッパー４９，５１が自動解除されて摘み４１が回転されるので、良好な操作性が確保される。さらに、従来の防犯カバーが被せられる構成と異なり、回転位置確認用マークによって摘み４１の垂直・水平姿勢が視認可能となるので、一般的なサムターンと同様に、室内側からの施解錠状態が容易に確認できるようになる。
【００４３】
また、この防犯サムターン１００によれば、二対の挟持板７３ａ，７３ｂ，７５ａ，７５ｂで、コア軸３５の突起板３９を軸線直交方向の両側から挟持するので、コア軸３５の右回転、左回転の何れの回転でも等しいモーメントで挟持板３９を開脚でき、シリンダー錠の左右勝手に関わらずスムースな合鍵操作を可能にすることができる。
【００４４】
さらに、この防犯サムターン１００によれば、摘み４１がボタン６３，６５の押し込みより先に回されると、ストッパー退避凹部３８ａがストッパー４９，５１から位置ずれし、ストッパー４９，５１の解除が不能となるので、挿入した針金や棒等を摘み４１に引っ掛ける等した、サムターン摘み４１の回転が一層行い難くなり、防犯性をさらに向上させることができる。
【００４５】
また、この防犯サムターン１００では、ボタン６３，６５が、摘み４１に形成したボタン収容溝２２内で、直径方向の溝長手方向に沿ってスライドされる機構を採用したので、脚部６３ａ，６５ａの全長を短くでき、固定筒２１の軸線方向の長さ、すなわち摘み４１の突出長さを短くすることができる。
【００４６】
なお、上述した実施の形態では、摘み４１の形状を円筒状に形成した例について述べたが、これに限ることはなく、楕円状に中途部分が膨出形状とされている形状としてもよく、或いは錐状や角柱状などの形状としてもよい。
【００４７】
また、各ストッパー４９，５１が係合する係合溝５５，５６を固定筒２１に９０度の角度で配設し、摘み４１の垂直・水平状態のいずれの状態においても、摘み４１の回転規制を行うよう構成した例について述べたが、１８０度の位置で、すなわち、係合溝５５の位置か係合溝５６の位置のどちらかのみで構成することとしてもよく、その場合は、施錠状態において各ストッパー４９，５１が係合し、回転の規制を行うようにする。このような構成とすると、解錠状態では、ストッパー４９，５１は筒状部４５の半径方向内側に摺動したままの状態で保たれ、このことから、施錠操作時には、ボタン６３，６５を押し込まなくても操作が可能となる。
【図面の簡単な説明】
【００４８】
【図１】本発明に係る防犯サムターンの縦断面図である。
【図２】本発明に係る防犯サムターンの水平断面図である。
【図３】図１のＡ−Ａ矢視図である。
【図４】図１のＢ−Ｂ矢視図である。
【図５】図１に示した防犯サムターンの分解図である。
【図６】図５に示したストッパー近傍部材の分解斜視図である。
【図７】図５に示したサムターンボスの拡大斜視図である。
【図８】図５に示した摘み近傍部材の分解斜視図である。
【図９】ボタン押下状態の摘みの正面図である。
【図１０】図９に示した摘みの縦断面図である。
【図１１】図１のＣ−Ｃ断面における施錠状態を（ａ）、シリンダー錠回転状態を（ｂ）に表した動作説明図である。
【図１２】図１のＤ−Ｄ断面における施錠状態を（ａ）、シリンダー錠回転状態を（ｂ）に表した動作説明図である。
【図１３】図１のＤ−Ｄ断面における施錠状態を（ａ）、ボタン押し込み状態を（ｂ）に表した動作説明図である。
【図１４】図１のＥ−Ｅ断面における施錠状態を（ａ）、ボタンを押し込まずに摘みを回転させた状態を（ｂ）に表した動作説明図である。
【符号の説明】
【００４９】
１…扉
３…基板（サムターンケース）
１１…入出力部材
２１…固定筒
３５…コア軸
３８…サムターンボス
３８ａ…ストッパー退避凹部
３９…突起板
４１…摘み
４３…サムターン筒
４９，５１…ストッパー
６３，６５…ボタン
６３ａ，６５ａ…脚部
６６…ボタン付勢手段（ボタン付勢バネ）
６７，６９…解除交差部材
６７ｂ，６９ｂ…一端部（ストッパー挟持片）
６７ｃ，６９ｃ…他端部（離間片）
７１…付勢手段（圧縮バネ）
７３ａ，７３ｂ，７５ａ，７５ｂ…挟持板
１００…防犯サムターン
【図１】
2005188126.tif 000003
【図２】
2005188126.tif 000004
【図３】
2005188126.tif 000005
【図４】
2005188126.tif 000006
【図５】
2005188126.tif 000007
【図６】
2005188126.tif 000008
【図７】
2005188126.tif 000009
【図８】
2005188126.tif 000010
【図９】
2005188126.tif 000011
【図１０】
2005188126.tif 000012
【図１１】
2005188126.tif 000013
【図１２】
2005188126.tif 000014
【図１３】
2005188126.tif 000015
【図１４】
2005188126.tif 000016